【手続補正書】
【提出日】平成17年7月11日(2005.7.11)
【手続補正１】
【補正対象書類名】明細書
【補正対象項目名】特許請求の範囲
【補正方法】変更
【補正の内容】
【特許請求の範囲】
【請求項１】
圧縮機、凝縮器、絞り装置、蒸発器より構成された主冷媒回路を備え、ハイドロフルオロカ−ボン系の冷媒を作動媒体として用い、この冷媒と相溶性のある油を冷凍機油として用いる空気調和装置において、上記圧縮機吐出部に油分離器を設け、分離した冷凍機油を圧縮機吸入部に戻す返油バイパス回路を設けたことを特徴とする空気調和装置。
【請求項２】
返油バイパス回路途中にスラッジフィルタを設けたことを特徴とする請求項１記載の空気調和装置。
【請求項３】
返油バイパス回路途中のスラッジフィルタ上流に冷凍機油を冷却するバイパス熱交換器を設けたことを特徴とする請求項２記載の空気調和装置。
【請求項４】
返油バイパス回路途中のスラッジフィルタ上流に液冷媒を注入する液冷媒注入回路を設けたことを特徴とする請求項２記載の空気調和装置。
【請求項５】
返油バイパス途中のスラッジフィルタを、水分を吸収しかつスラッジフィルタ機能を有するドライヤとしたことを特徴とする請求項２〜４の何れかに記載の空気調和装置。
【請求項６】
バイパス熱交換器の全部または一部として熱源機側熱交換器の最下部を通す構成としたことを特徴とする請求項３〜５の何れかに記載の空気調和装置。
【手続補正２】
【補正対象書類名】明細書
【補正対象項目名】００１５
【補正方法】変更
【補正の内容】
【００１５】 
【課題を解決するための手段】
【手続補正３】
【補正対象書類名】明細書
【補正対象項目名】００１６
【補正方法】削除
【補正の内容】
【手続補正４】
【補正対象書類名】明細書
【補正対象項目名】００１７
【補正方法】削除
【補正の内容】
【手続補正５】
【補正対象書類名】明細書
【補正対象項目名】００１８
【補正方法】削除
【補正の内容】
【手続補正６】
【補正対象書類名】明細書
【補正対象項目名】００１９
【補正方法】削除
【補正の内容】
【手続補正７】
【補正対象書類名】明細書
【補正対象項目名】００２０
【補正方法】削除
【補正の内容】
【手続補正８】
【補正対象書類名】明細書
【補正対象項目名】００２１
【補正方法】変更
【補正の内容】
【００２１】
請求項１に係るこの発明の空気調和装置は、圧縮機、凝縮器、絞り装置、蒸発器より構成された主冷媒回路を備え、ハイドロフルオロカ−ボン系の冷媒を作動媒体として用い、この冷媒と相溶性のある油を冷凍機油として用いる空気調和装置において、上記圧縮機吐出部に油分離器を設け、分離した冷凍機油を圧縮機吸入部に戻す返油バイパス回路を設けたものである。 
【手続補正９】
【補正対象書類名】明細書
【補正対象項目名】００２２
【補正方法】変更
【補正の内容】
【００２２】
請求項２に係るこの発明の空気調和装置は、請求項１に記載の発明において、返油バイパス回路途中にスラッジフィルタを設けたものである。 
【手続補正１０】
【補正対象書類名】明細書
【補正対象項目名】００２３
【補正方法】変更
【補正の内容】
【００２３】
請求項３に係るこの発明の空気調和装置は、請求項２に記載の発明において、返油バイパス回路途中のスラッジフィルタ上流に冷凍機油を冷却するバイパス熱交換器を設けたものである。 
【手続補正１１】
【補正対象書類名】明細書
【補正対象項目名】００２４
【補正方法】変更
【補正の内容】
【００２４】
請求項４に係るこの発明の空気調和装置は、請求項２に記載の発明において、返油バイパス回路途中のスラッジフィルタ上流に液冷媒を注入する液冷媒注入回路を設けたものである。 
【手続補正１２】
【補正対象書類名】明細書
【補正対象項目名】００２５
【補正方法】変更
【補正の内容】
【００２５】
請求項５に係るこの発明の空気調和装置は、請求項２〜４の何れかに記載の発明において、返油バイパス途中のスラッジフィルタを、水分を吸収しかつスラッジフィルタ機能を有するドライヤとしたものである。 
【手続補正１３】
【補正対象書類名】明細書
【補正対象項目名】００２６
【補正方法】削除
【補正の内容】
【手続補正１４】
【補正対象書類名】明細書
【補正対象項目名】００２７
【補正方法】変更
【補正の内容】
【００２７】
請求項６に係るこの発明の空気調和装置は、請求項３〜５の何れかに記載の発明において、バイパス熱交換器の全部または一部として熱源機側熱交換器の最下部を通す構成としたものである。 
【手続補正１５】
【補正対象書類名】明細書
【補正対象項目名】００２８
【補正方法】削除
【補正の内容】
【手続補正１６】
【補正対象書類名】明細書
【補正対象項目名】００２９
【補正方法】削除
【補正の内容】
【手続補正１７】
【補正対象書類名】明細書
【補正対象項目名】００３０
【補正方法】削除
【補正の内容】
【手続補正１８】
【補正対象書類名】明細書
【補正対象項目名】００３１
【補正方法】削除
【補正の内容】
【手続補正１９】
【補正対象書類名】明細書
【補正対象項目名】０１１１
【補正方法】変更
【補正の内容】
【０１１１】 
【発明の効果】
【手続補正２０】
【補正対象書類名】明細書
【補正対象項目名】０１１２
【補正方法】削除
【補正の内容】
【手続補正２１】
【補正対象書類名】明細書
【補正対象項目名】０１１３
【補正方法】削除
【補正の内容】
【手続補正２２】
【補正対象書類名】明細書
【補正対象項目名】０１１４
【補正方法】削除
【補正の内容】
【手続補正２３】
【補正対象書類名】明細書
【補正対象項目名】０１１５
【補正方法】削除
【補正の内容】
【手続補正２４】
【補正対象書類名】明細書
【補正対象項目名】０１１６
【補正方法】削除
【補正の内容】
【手続補正２５】
【補正対象書類名】明細書
【補正対象項目名】０１１７
【補正方法】変更
【補正の内容】
【０１１７】
この発明の請求項１によれば、圧縮機吐出部に油分離器を設け、分離した冷凍機油を圧縮機吸入部に戻す返油バイパス回路を設けたので、主冷媒回路の絞り装置を流れる冷凍機油の流量は著しく低下し、冷凍機油と共に循環する冷凍機油劣化物の積算流量も低下する。これにより、冷凍機油劣化物がスラッジとなって主冷媒回路の絞り装置に付着する量も減少する。以上により、主冷媒回路の絞り装置の流量不足が回避でき、空調能力の不足はなくなる。また、異常な高圧上昇・低圧低下・それによる吐出ガス温度上昇を回避でき、信頼性が著しく向上するという効果がある。 
【手続補正２６】
【補正対象書類名】明細書
【補正対象項目名】０１１８
【補正方法】変更
【補正の内容】
【０１１８】
この発明の請求項２によれば、請求項１記載の発明において、返油バイパス回路途中にスラッジフィルタを設けたので、請求項７に記載の発明の効果の外に、さらに、圧縮機内部で生成された冷凍機油劣化物は返油バイパスにおいてスラッジフィルタで捕捉され、冷凍機油中の冷凍機油劣化物含有率は低下し、主冷媒回路の絞り装置、油戻し穴に付着するスラッジの量は低下し、また、圧縮機から吐出された冷媒などが返油バイパスを経て圧縮機へ戻るサイクルは途中で液側接続冷媒配管、ガス側接続冷媒配管を経由しないので、液側接続冷媒配管やガス側接続冷媒配管の施工時に充分な無酸化ロウ付けを実施しないような場合などに発生する酸化スケ−ルが運転中にスラッジフィルタに流入することがなく、流路を閉塞したり、スラッジフィルタを変形・破壊したりする危険性がない等の効果がある。 
【手続補正２７】
【補正対象書類名】明細書
【補正対象項目名】０１１９
【補正方法】変更
【補正の内容】
【０１１９】
この発明の請求項３によれば、請求項２記載の発明において、返油バイパス回路途中のスラッジフィルタ上流に冷凍機油を冷却するバイパス熱交換器を設けたので、請求項８に記載の発明の効果の外に、スラッジフィルタに流入する冷凍機油の温度が低下して冷凍機油中の冷媒の濃度が高まることにより、冷凍機油中に溶け込んでいた冷凍機油劣化物が析出されて元々冷凍機油に溶け込んでいたものもスラッジフィルタにより捕捉され、主冷媒回路の冷凍機油中の冷凍機油劣化物含有率はさらに低下するという効果がある。 
【手続補正２８】
【補正対象書類名】明細書
【補正対象項目名】０１２０
【補正方法】変更
【補正の内容】
【０１２０】
この発明の請求項４によれば、請求項２記載の発明において、返油バイパス回路途中のスラッジフィルタ上流に液冷媒を注入する液冷媒注入回路を設けたので、請求項８に記載の発明の効果の外に、返油バイパス回路中の冷凍機油が液注入回路から流出する液冷媒と合流することにより、スラッジフィルタに流入する冷凍機油中の冷媒濃度が高まり、冷凍機油中に溶け込んでいた冷凍機油劣化物が析出されて元々冷凍機油に溶け込んでいたものもスラッジフィルタにより捕捉され、主冷媒回路の冷凍機油中の冷凍機油劣化物含有率はさらに低下するという効果がある。 
【手続補正２９】
【補正対象書類名】明細書
【補正対象項目名】０１２１
【補正方法】変更
【補正の内容】
【０１２１】
この発明の請求項５によれば、請求項２〜４の何れかに記載の発明において、返油バイパス途中のスラッジフィルタを、水分を吸収しかつスラッジフィルタ機能を有するドライヤとしたので、請求項８〜１０の何れかに記載の発明の効果の外に、返油バイパスを流れる冷凍機油より直接水分を吸収することにより、冷凍機油の加水分解が抑制され、主冷媒回路の冷凍機油中の冷凍機油劣化物含有率はさらに低下するという効果がある。 
【手続補正３０】
【補正対象書類名】明細書
【補正対象項目名】０１２２
【補正方法】削除
【補正の内容】
【手続補正３１】
【補正対象書類名】明細書
【補正対象項目名】０１２３
【補正方法】変更
【補正の内容】
【０１２３】
この発明の請求項６によれば、請求項３〜５の何れかに記載の発明において、バイパス熱交換器の全部または一部として熱源機側熱交換器の最下部を通す構成としたので、請求項３〜５の何れかに記載の発明の効果の外に、上部でのドレンの流れで風が通りにくく、着霜しやすい熱交換器の最も下の部分が暖められ着霜しにくくなるとういう効果がある。
【手続補正３２】
【補正対象書類名】明細書
【補正対象項目名】０１２４
【補正方法】削除
【補正の内容】
【手続補正３３】
【補正対象書類名】明細書
【補正対象項目名】０１２５
【補正方法】削除
【補正の内容】
【手続補正３４】
【補正対象書類名】明細書
【補正対象項目名】０１２６
【補正方法】削除
【補正の内容】
【手続補正３５】
【補正対象書類名】明細書
【補正対象項目名】０１２７
【補正方法】削除
【補正の内容】